(57)【要約】【課題】  凾体の交差する目地部に対しても止水性能が低下しない目地用止水継手を提供する。【解決手段】  目地用止水材１０は、ゴム等の可撓性と水密性とを有する一枚のシート形状の材料を用いて一体成形されており、第１の水平方向と、第１の水平方向と直交する第２の水平方向とに伸長できるように折り畳まれた伸長部１６と、各々の一方端部が伸長部１６に接続され、平面視十字状に延びる第１シート部１１、第２シート部１２、第３シート部１３及び第４シート部１４とを備えている。また、各シート部のほぼ中央部には、断面逆Ｕ字形状に撓んだ屈曲部１７ａ〜１７ｄがそれぞれ形成されており、各シート部１７は各々の短辺方向に伸長することができる。したがって、使用時にあっては、目地用止水材１０は地震等による凾体３０ａ〜３０ｄの移動に追従していずれの水平方向へも伸長することができるため、止水性能を維持することが可能となる。【選択図】        図１
2006233743.tif 000002
【特許請求の範囲】
【請求項１】
凾体において交差する目地部を塞ぐ目地用止水材であって、
可撓性と水密性とを有するシート形状の材料よりなり、第１の水平方向と、前記第１の水平方向と直交する第２の水平方向とに少なくとも伸長できるように折り畳まれた伸長部と、
可撓性と水密性とを有するシート形状の材料よりなり、前記第１の水平方向へと延びると共に、その一方端部が前記伸長部に接続され、前記第２の水平方向へと少なくとも伸長できる第１シート部と、
可撓性と水密性とを有するシート形状の材料よりなり、前記第１の水平方向と反対方向に延びると共に、その一方端部が前記伸長部に接続され、前記第２の水平方向へと少なくとも伸長できる第２シート部と、
可撓性と水密性とを有するシート形状の材料よりなり、前記第２の水平方向へと延びると共に、その一方端部が前記伸長部に接続され、前記第１の水平方向へと少なくとも伸長できる第３シート部とを備えた、目地用止水材。
【請求項２】
可撓性と水密性とを有するシート形状の材料よりなり、前記第２の水平方向と反対方向へと延びると共に、その一方端部が前記伸長部に接続され、前記第１の水平方向へと少なくとも伸長できる第４シート部を更に備える、請求項１記載の目地用止水材。
【請求項３】
前記第１シート部、前記第２シート部、前記第３シート部及び前記伸長部の各々は、平面視においてほぼ矩形シート形状を有し、各々の中央部に各々の長手方向に延びる断面Ｕ字形に撓んだ屈曲部が形成され、
前記第１シート部、前記第２シート部及び前記第３シート部の各々と、前記伸長部とは、一枚のシート体から一体的に形成される、請求項１記載の目地用止水材。
【請求項４】
前記第１シート部、前記第２シート部、前記第３シート部、前記第４シート部及び前記伸長部の各々は、平面視においてほぼ矩形シート形状を有し、各々の中央部に各々の長手方向に延びる断面Ｕ字形に撓んだ屈曲部が形成され、
前記第１シート部、前記第２シート部、前記第３シート部及び前記第４シート部の各々と、前記伸長部とは、一枚のシート体から一体的に形成される、請求項２記載の目地用止水材。
【請求項５】
凾体において交差する目地部を塞ぐ目地用止水材の製造方法であって、
可撓性と水密性とを有する材料よりなる一枚のシート体を用意し、前記シート体において第１の水平方向に延びる帯状の第１領域を、前記シート体が前記第１の水平方向と直交する第２の水平方向へと少なくとも伸長できるように撓ませる第１工程と、
前記第１領域から前記第２の水平方向に延びる帯状の第２領域を、前記シート体が前記第１の水平方向へと少なくとも伸長できるように撓ませると共に、前記第１領域と前記第２領域との接続部分の近傍における前記第１領域の一部を、前記シート体が前記第１の水平方向へと少なくとも伸長できるように折り畳む第２工程とを備えた、目地用止水材の製造方法。
【請求項６】
前記第２工程は、前記第１領域から前記第２の水平方向と反対方向に延びる帯状の第３領域を、前記シート体が前記第１の水平方向へと少なくとも伸長できるように撓ませると共に、前記第１領域と前記第３領域との接続部分の近傍における前記第１領域の一部を、前記シート体が前記第１の水平方向へと少なくとも伸長できるように折り畳む工程を更に含む、請求項５記載の目地用止水材の製造方法。
【請求項７】
前記第１シート部、前記第２シート部、前記第３シート部及び前記伸長部の各々は、平面視においてほぼ矩形形状を有すると共に、これらは一枚のシート体から一体的に形成され、
前記第１シート部は、前記伸長部の一辺の中央からその長手方向に延びる帯状の第１領域が前記第２の水平方向に折り畳まれ、
前記第２シート部は、前記伸長部の他の一辺の中央からその長手方向に延びる帯状の第２領域が前記第２の水平方向に折り畳まれ、
前記第３シート部は、前記伸長部の更に他の一辺の中央からその長手方向に延びる帯状の第３領域が前記第１の水平方向とは反対方向に折り畳まれ、
前記伸長部は、その中央から外方に延びると共に前記第１領域から前記第３領域の各々に接続するＴ字形状領域が、前記第１シート部から前記第３シート部の各々の折り畳まれた部分に連続した態様でその外方領域が折り畳まれると共に、その中央領域及び近傍が平坦化するように折り畳まれる、請求項１記載の目地用止水材。
【請求項８】
前記第１シート部、前記第２シート部、前記第３シート部、前記第４シート部及び前記伸長部の各々は、平面視においてほぼ矩形形状を有すると共に、これらは一枚のシート体から一体的に形成され、
前記第１シート部は、前記伸長部の一辺の中央からその長手方向に延びる帯状の第１領域が前記第２の水平方向に折り畳まれ、
前記第２シート部は、前記伸長部の他の一辺の中央からその長手方向に延びる帯状の第２領域が前記第２の水平方向に折り畳まれ、
前記第３シート部は、前記伸長部の更に他の一辺の中央からその長手方向に延びる帯状の第３領域が前記第１の水平方向とは反対方向に折り畳まれ、
前記第４シート部は、前記伸長部の更に他の一辺の中央からその長手方向に延びる帯状の第４領域が前記第１の水平方向とは反対方向に折り畳まれ、
前記伸長部は、その中央から外方に延びると共に前記第１領域から前記第４領域の各々に接続する十字形状領域が、前記第１シート部から前記第４シート部の各々の折り畳まれた部分に連続した態様でその外方領域が折り畳まれると共に、その中央領域及び近傍が平坦化するように折り畳まれる、請求項２記載の目地用止水材。
【請求項９】
前記第１シート部、前記第２シート部、前記第３シート部、前記第４シート部及び前記伸長部の各々は、平面視においてほぼ矩形形状を有すると共に、これらは一枚のシート体から一体的に形成され、
前記第１シート部は、前記伸長部の一辺の中央からその長手方向に延びる帯状の第１領域が前記第２の水平方向に折り畳まれ、
前記第２シート部は、前記伸長部の他の一辺の中央からその長手方向に延びる帯状の第２領域が前記第２の水平方向に折り畳まれ、
前記第３シート部は、前記伸長部の更に他の一辺の中央からその長手方向に延びる帯状の第３領域が前記第１の水平方向に折り畳まれ、
前記第４シート部は、前記伸長部の更に他の一辺の中央からその長手方向に延びる帯状の第４領域が前記第１の水平方向とは反対方向に折り畳まれ、
前記伸長部は、その中央から外方に延びると共に前記第１領域から前記第４領域の各々に接続する十字形状領域が、前記第１シート部から前記第４シート部の各々の折り畳まれた部分に連続した態様でその外方領域が折り畳まれると共に、その中央領域及び近傍が平坦化するように折り畳まれる、請求項２記載の目地用止水材。
【請求項１０】
凾体において交差する目地部を塞ぐ目地用止水材の製造方法であって、
可撓性と水密性とを有する材料よりなる一枚のシート体を用意し、前記シート体において矩形形状の中央部における一辺の中央から第１の水平方向に延びる帯状の第１領域と前記中央部の他の一辺の中央から前記第１の水平方向とは反対方向に延びる帯状の第２領域とを、前記第１の水平方向と直交する第２の水平方向に伸長できるように折り畳み、前記中央部の更に他の一辺の中央から前記第２の水平方向に延びる帯状の第３領域を、前記第１の水平方向に伸長できるように折り畳む第１工程と、
前記中央部における、その中央から外方に延びると共に前記第１領域から前記第３領域の各々に接続するＴ字形状領域を、前記第１領域から前記第３領域の各々の折り畳まれた部分に連続した態様でその外方領域を折り畳むと共に、その中央領域及び近傍を平坦化するように折り畳む第２工程とを備えた、目地用止水材の製造方法。
【請求項１１】
凾体において交差する目地部を塞ぐ目地用止水材の製造方法であって、
可撓性と水密性とを有する材料よりなる一枚のシート体を用意し、前記シート体において矩形形状の中央部における一辺の中央から第１の水平方向に延びる帯状の第１領域と前記中央部の他の一辺の中央から前記第１の水平方向とは反対方向に延びる帯状の第２領域とを、前記第１の水平方向と直交する第２の水平方向に伸長できるように折り畳み、前記中央部の更に他の一辺の中央から前記第２の水平方向に延びる帯状の第３領域と、前記中央部の更に他の一辺の中央から前記第２の水平方向とは反対方向に延びる帯状の第４領域とを、前記第１の水平方向に伸長できるように折り畳む第１工程と、
前記中央部における、その中央から外方に延びると共に前記第１領域から前記第４領域の各々に接続する十字形状領域を、前記第１領域から前記第４領域の各々の折り畳まれた部分に連続した態様でその外方領域を折り畳むと共に、その中央領域及び近傍を平坦化するように折り畳む第２工程とを備えた、目地用止水材の製造方法。
【発明の詳細な説明】
【技術分野】
【０００１】
この発明は目地用止水材及びその製造方法に関し、特に生活用水や工業用水等を貯留する貯水池や浄水池、上下水道の水路等の連続するコンクリート凾体やコンクリート管、落石防止用コンクリートブロック等（以下「凾体」という）の交差する目地部を塞ぐために用いられる目地用止水材及びその製造方法に関するものである。
【背景技術】
【０００２】
図４は、従来の目地用止水継手の取付状態を示した分解斜視図であり、図５は、図４で示したＶ−Ｖラインの拡大断面図である。
【０００３】
これらの図を参照して、目地用止水継手６１は、天然ゴム等の弾性体により一体成形され、その内部に天然繊維等の応力材が埋設されている。幅方向の中央には、断面逆Ｕ字形状の凸部６６が形成され、その凸部６６の両側には一対のシート体６５ａ、シート体６５ｂが形成されている。また、シート体６５ａ、シート体６５ｂの各々の下面には、下方に突出し、互いに平行に配列された一対の止水突条６７ａ、止水突条６７ｂ及び一対の止水突条６８ａ、止水突条６８ｂが形成されている。
【０００４】
使用時にあっては、対向する凾体６２ａ、凾体６２ｂの間に形成されている目地部６３の上方を覆うように、目地用止水継手６１を矢印の方向に下降させて載置する。この状態で図５の（１）に示されているように、止水突条６７ａ、止水突条６７ｂの間の部分のシート体６５ａと止水突条６８ａ、止水突条６８ｂの間のシート体６５ｂの部分とを、図示しない固定具を用いて凾体６２ａ、凾体６２ｂの各々に対して固定する。このようにして、目地部６３を目地用止水継手６１によってシールする。
【０００５】
次に、地震等によって凾体６２ａ、凾体６２ｂが移動したりずれたりして、目地部６３の間隔が目地用止水継手６１の取付時の状態から変化した場合を想定する。この状態を示したのが図５の（２）である。この例にあっては目地部６３の間隔が広がっているが、その変化を目地用止水継手６１の凸部６６の部分が偏平状態となって吸収することによって、目地部６３からの水漏れ等が防止されている。
【発明の開示】
【発明が解決しようとする課題】
【０００６】
上記のような従来の目地用止水継手では、上述のように平面視で直線状の目地部に対しては特に問題はない。しかし、平面視において交差する目地部に対しては、上記のような従来の目地用止水継手では充分な止水性能を発揮できるとは言えない。
【０００７】
図６は、従来の十字形状の目地部に使用される目地用止水継手の取付状態を示した分解斜視図である。
【０００８】
図を参照して、４つの凾体６２ａ〜凾体６２ｄの各々が、平面状態において突き合わされるように配置されている。そしてこれらの凾体同士によって形成されている目地部６３ａ〜目地部６３ｄは、平面視において十字形状を有している。
【０００９】
一方、このような十字形状の目地部に対応する目地用止水継手７０は、その中央部から水平方向で互いに直交する方向に伸びる第１のシート部７２、第２のシート部７４、第３のシート部７６及び第４のシート部７８とから形成されている。第１のシート部７２は矩形シート形状を有し、その中央部には長手方向に伸びる断面逆Ｕ字形状の第１の凸部７３が形成されている、同様に、第２のシート部７４に対しては第２の凸部７５が、第３のシート部７６に対しては第３の凸部７７が、第４のシート部７８に対しては第４の凸部７９が形成されている。そして、これらのシート部は、その中央部で互いに突き合わされた状態で接続されるように一体成形されている。
【００１０】
使用時にあっては、目地用止水継手７０の中央部を目地部６３ａ〜目地部６３ｄの交差点上に位置するように配置すると共に、第１の凸部７３、第２の凸部７５、第３の凸部７７及び第４の凸部７９の形成方向が、目地部６３ａ〜目地部６３ｄの各々に対応する位置となるように凾体６２ａ〜凾体６２ｄの上に設置する。この状態で上述のように図示しない固定具を用いて、目地用止水継手７０を凾体６２に固定することによって取付が完了する。
【００１１】
ところが、このような目地用止水継手では、第１の凸部７３、第２の凸部７５、第３の凸部７７及び第４の凸部７９の各々の端部は、目地用止水継手７０の中央部で互いに直接的に接続されている。そのため、目地部６３ａ〜目地部６３ｄの各々の間隔が広がるように凾体６２が移動したような場合、その変化に目地用止水継手７０は充分追随することができない。例えば、目地部６３ａ及び目地部６３ｃの間隔が広がって場合を想定する。この場合、目地用止水継手７０の第１の凸部７３及び第３の凸部７７は容易に扁平するように変化するが、これらに直交する第２の凸部７５及び第４の凸部７９は、その軸方向には容易に変形しないことになる。すなわち、第１の凸部７３及び第３の凸部７７の中央部の接続部分は、目地が大きく開いた場合には十分に変形できないことを意味する。そのため、目地用止水継手７０のシール性が低下して、目地部からの水漏れ等が生じてしまう虞がある。
【００１２】
この発明は上記のような課題を解決するためになされたもので、凾体の交差する目地部に対しても止水性能が低下しない目地用止水継手を提供することを目的とする。
【課題を解決するための手段】
【００１３】
上記の目的を達成するために、請求項１記載の発明は、凾体において交差する目地部を塞ぐ目地用止水材であって、可撓性と水密性とを有するシート形状の材料よりなり、第１の水平方向と、第１の水平方向と直交する第２の水平方向とに少なくとも伸長できるように折り畳まれた伸長部と、可撓性と水密性とを有するシート形状の材料よりなり、第１の水平方向へと延びると共に、その一方端部が伸長部に接続され、第２の水平方向へと少なくとも伸長できる第１シート部と、可撓性と水密性とを有するシート形状の材料よりなり、第１の水平方向と反対方向に延びると共に、その一方端部が伸長部に接続され、第２の水平方向へと少なくとも伸長できる第２シート部と、可撓性と水密性とを有するシート形状の材料よりなり、第２の水平方向へと延びると共に、その一方端部が伸長部に接続され、第１の水平方向へと少なくとも伸長できる第３シート部とを備えたものである。
【００１４】
このように構成すると、例えばＴ字形に交差する目地部の間隔の変化に追従して伸長部が変形する。
【００１５】
請求項２記載の発明は、請求項１記載の発明の構成において、可撓性と水密性とを有するシート形状の材料よりなり、第２の水平方向と反対方向へと延びると共に、その一方端部が伸長部に接続され、第１の水平方向へと少なくとも伸長できる第４シート部を更に備えるものである。
【００１６】
このように構成すると、十字形に交差する目地部の間隔の変化に追従して伸長部が変形する。
【００１７】
請求項３記載の発明は、請求項１記載の発明の構成において、第１シート部、第２シート部、第３シート部及び伸長部の各々は、平面視においてほぼ矩形シート形状を有し、各々の中央部に各々の長手方向に延びる断面Ｕ字形に撓んだ屈曲部が形成され、第１シート部、第２シート部及び第３シート部の各々と、伸長部とは、一枚のシート体から一体的に形成されるものである。
【００１８】
このように構成すると、伸長部と、第１から第３の各シート部とが一体成形される。
【００１９】
請求項４記載の発明は、請求項２記載の発明の構成において、第１シート部、第２シート部、第３シート部、第４シート部及び伸長部の各々は、平面視においてほぼ矩形シート形状を有し、各々の中央部に各々の長手方向に延びる断面Ｕ字形に撓んだ屈曲部が形成され、第１シート部、第２シート部、第３シート部及び第４シート部の各々と、伸長部とは、一枚のシート体から一体的に形成されるものである。
【００２０】
このように構成すると、伸長部と、第１から第４の各シート部とが一体成形される。
【００２１】
請求項５記載の発明は、凾体において交差する目地部を塞ぐ目地用止水材の製造方法であって、可撓性と水密性とを有する材料よりなる一枚のシート体を用意し、シート体において第１の水平方向に延びる帯状の第１領域を、シート体が第１の水平方向と直交する第２の水平方向へと少なくとも伸長できるように撓ませる第１工程と、第１領域から第２の水平方向に延びる帯状の第２領域を、シート体が第１の水平方向へと少なくとも伸長できるように撓ませると共に、第１領域と第２領域との接続部分の近傍における第１領域の一部を、シート体が第１の水平方向へと少なくとも伸長できるように折り畳む第２工程とを備えたものである。
【００２２】
このように構成すると、一枚のシート体によって、第１の水平方向及び第２の水平方向のいずれの方向にも伸長自在な例えばＴ字形目地用の止水材が形成される。
【００２３】
請求項６記載の発明は、請求項５記載の発明の構成において、第２工程は、第１領域から第２の水平方向と反対方向に延びる帯状の第３領域を、シート体が第１の水平方向へと少なくとも伸長できるように撓ませると共に、第１領域と第３領域との接続部分の近傍における第１領域の一部を、シート体が第１の水平方向へと少なくとも伸長できるように折り畳む工程を更に含むものである。
【００２４】
このように構成すると、一枚のシート体によって、第１の水平方向及び第２の水平方向のいずれの方向にも伸長自在な十字形目地用の止水材が形成される。
【００２５】
請求項７記載の発明は、請求項１記載の発明の構成において、第１シート部、第２シート部、第３シート部及び伸長部の各々は、平面視においてほぼ矩形形状を有すると共に、これらは一枚のシート体から一体的に形成され、第１シート部は、伸長部の一辺の中央からその長手方向に延びる帯状の第１領域が第２の水平方向に折り畳まれ、第２シート部は、伸長部の他の一辺の中央からその長手方向に延びる帯状の第２領域が第２の水平方向に折り畳まれ、第３シート部は、伸長部の更に他の一辺の中央からその長手方向に延びる帯状の第３領域が第１の水平方向とは反対方向に折り畳まれ、伸長部は、その中央から外方に延びると共に第１領域から第３領域の各々に接続するＴ字形状領域が、第１シート部から第３シート部の各々の折り畳まれた部分に連続した態様でその外方領域が折り畳まれると共に、その中央領域及び近傍が平坦化するように折り畳まれるものである。
【００２６】
このように構成すると、伸長部と、第１から第３の各シート部とが、一体化されると共に平坦な形体に成形される。
【００２７】
請求項８記載の発明は、請求項２記載の発明の構成において、第１シート部、第２シート部、第３シート部、第４シート部及び伸長部の各々は、平面視においてほぼ矩形形状を有すると共に、これらは一枚のシート体から一体的に形成され、第１シート部は、伸長部の一辺の中央からその長手方向に延びる帯状の第１領域が第２の水平方向に折り畳まれ、第２シート部は、伸長部の他の一辺の中央からその長手方向に延びる帯状の第２領域が第２の水平方向に折り畳まれ、第３シート部は、伸長部の更に他の一辺の中央からその長手方向に延びる帯状の第３領域が第１の水平方向とは反対方向に折り畳まれ、第４シート部は、伸長部の更に他の一辺の中央からその長手方向に延びる帯状の第４領域が第１の水平方向とは反対方向に折り畳まれ、伸長部は、その中央から外方に延びると共に第１領域から第４領域の各々に接続する十字形状領域が、第１シート部から第４シート部の各々の折り畳まれた部分に連続した態様でその外方領域が折り畳まれると共に、その中央領域及び近傍が平坦化するように折り畳まれるものである。
【００２８】
このように構成すると、伸長部と、第１から第４の各シート部とが、一体化されると共に平坦な形体に成形される。
【００２９】
請求項９記載の発明は、請求項２記載の発明の構成において、第１シート部、第２シート部、第３シート部、第４シート部及び伸長部の各々は、平面視においてほぼ矩形形状を有すると共に、これらは一枚のシート体から一体的に形成され、第１シート部は、伸長部の一辺の中央からその長手方向に延びる帯状の第１領域が第２の水平方向に折り畳まれ、第２シート部は、伸長部の他の一辺の中央からその長手方向に延びる帯状の第２領域が第２の水平方向に折り畳まれ、第３シート部は、伸長部の更に他の一辺の中央からその長手方向に延びる帯状の第３領域が第１の水平方向に折り畳まれ、第４シート部は、伸長部の更に他の一辺の中央からその長手方向に延びる帯状の第４領域が第１の水平方向とは反対方向に折り畳まれ、伸長部は、その中央から外方に延びると共に第１領域から第４領域の各々に接続する十字形状領域が、第１シート部から第４シート部の各々の折り畳まれた部分に連続した態様でその外方領域が折り畳まれると共に、その中央領域及び近傍が平坦化するように折り畳まれるものである。
【００３０】
このように構成すると、伸長部と、第１から第４の各シート部とが、一体化されると共に平坦な形体に成形される。また、伸長部の第３シート部側の折り畳み厚さが第２シート部側の折り畳み厚さより小さくなる。
【００３１】
請求項１０記載の発明は、凾体において交差する目地部を塞ぐ目地用止水材の製造方法であって、可撓性と水密性とを有する材料よりなる一枚のシート体を用意し、シート体において矩形形状の中央部における一辺の中央から第１の水平方向に延びる帯状の第１領域と中央部の他の一辺の中央から第１の水平方向とは反対方向に延びる帯状の第２領域とを、第１の水平方向と直交する第２の水平方向に伸長できるように折り畳み、中央部の更に他の一辺の中央から第２の水平方向に延びる帯状の第３領域を、第１の水平方向に伸長できるように折り畳む第１工程と、中央部における、その中央から外方に延びると共に第１領域から第３領域の各々に接続するＴ字形状領域を、第１領域から第３領域の各々の折り畳まれた部分に連続した態様でその外方領域を折り畳むと共に、その中央領域及び近傍を平坦化するように折り畳む第２工程とを備えたものである。
【００３２】
このように構成すると、一枚のシート体によって、第１の水平方向及び第２の水平方向のいずれの方向にも伸長自在な、例えば、Ｔ字形目地用の止水材が、平坦な形体に成形される。
【００３３】
請求項１１記載の発明は、凾体において交差する目地部を塞ぐ目地用止水材の製造方法であって、可撓性と水密性とを有する材料よりなる一枚のシート体を用意し、シート体において矩形形状の中央部における一辺の中央から第１の水平方向に延びる帯状の第１領域と中央部の他の一辺の中央から第１の水平方向とは反対方向に延びる帯状の第２領域とを、第１の水平方向と直交する第２の水平方向に伸長できるように折り畳み、中央部の更に他の一辺の中央から第２の水平方向に延びる帯状の第３領域と、中央部の更に他の一辺の中央から第２の水平方向とは反対方向に延びる帯状の第４領域とを、第１の水平方向に伸長できるように折り畳む第１工程と、中央部における、その中央から外方に延びると共に第１領域から第４領域の各々に接続する十字形状領域を、第１領域から第４領域の各々の折り畳まれた部分に連続した態様でその外方領域を折り畳むと共に、その中央領域及び近傍を平坦化するように折り畳む第２工程とを備えたものである。
【００３４】
このように構成すると、一枚のシート体によって、第１の水平方向及び第２の水平方向の何れの方向にも伸長自在な十字形の目地用の止水材が、平坦な形体に成形される。
【発明の効果】
【００３５】
以上説明したように、請求項１記載の発明は、例えばＴ字形に交差する目地部の間隔の変化に追従して伸長部が変形するため、地震等で凾体の位置がずれても、Ｔ字形に交差する目地部の止水性能を維持することが可能となる。
【００３６】
請求項２記載の発明は、請求項１記載の発明の効果に加えて、十字形に交差する目地部の間隔の変化に追従して伸長部が変形するため、地震等で凾体の位置がずれても、十字形に交差する目地部の止水性能を維持することが可能となる。
【００３７】
請求項３記載の発明は、請求項１記載の発明の効果に加えて、伸長部と、第１から第３の各シート部とが一体成形されるため、止水材全体の止水性能が向上すると共に、例えばＴ字形に交差した目地部を効率的に止水することが可能となる。
【００３８】
請求項４記載の発明は、請求項２記載の発明の効果に加えて、伸長部と、第１から第４の各シート部とが一体成形されるため、止水材全体の止水性能が向上すると共に、十字形に交差した目地部を効率的に止水することが可能となる。
【００３９】
請求項５記載の発明は、一枚のシート体によって、第１の水平方向及び第２の水平方向のいずれの方向にも伸長自在な例えばＴ字形目地用の止水材が形成されるため、目地用止水材の製造を効率的に行うことが可能となる。
【００４０】
請求項６記載の発明は、請求項５記載の発明の効果に加えて、一枚のシート体によって、第１の水平方向及び第２の水平方向のいずれの方向にも伸長自在な十字形目地用の止水材が形成されるため、十字形の目地部に対応した目地用止水材を効率的に製造することが可能となる。
【００４１】
請求項７記載の発明は、請求項１記載の発明の効果に加えて、伸長部と、第１から第３の各シート部とが一体成形されるため、止水材全体の止水性能が向上すると共に、例えば、Ｔ字形に交差した目地部を効率的に止水することが可能となる。また、全体が平坦な形体に成形されるため、シート体の突起を抑えて水流等に対する抵抗が低減される。このため、溝のない目地部に対しても使用可能となる。
【００４２】
請求項８記載の発明は、請求項２記載の発明の効果に加えて、伸長部と、第１から第４の各シート部とが一体成形されるため、止水材全体の止水性能が向上すると共に、十字形に交差した目地部を効率的に止水することが可能となる。また、全体が平坦な形体に成形されるため、シート体の突起を抑えて水流等に対する抵抗が低減される。このため、溝のない目地部に対しても使用可能となる。
【００４３】
請求項９記載の発明は、請求項２記載の発明の効果に加えて、伸長部と、第１から第４の各シート部とが一体成形されるため、止水材全体の止水性能が向上すると共に、十字形に交差した目地部を効率的に止水することが可能となる。また、全体が平坦な形体に成形されるため、シート体の突起を抑えて水流等に対する抵抗が低減される。このため、溝のない目地部に対しても使用可能となる。また、伸長部の第３シート部側の折り畳み厚さが第２シート部側の折り畳み厚さより小さくなるため、水流等に対する抵抗がより低減される。
【００４４】
請求項１０記載の発明は、一枚のシート体によって、第１の水平方向及び第２の水平方向のいずれの方向にも伸長自在な、例えば、Ｔ字形目地用の止水材が形成されるため、目地用止水材の製造を効率的に行うことが可能となると共に、平坦な形体に成形されるため、シート体の突起を抑えて水流等に対する抵抗が低減される。
【００４５】
請求項１１記載の発明は、一枚のシート体によって、第１の水平方向及び第２の水平方向のいずれの方向にも伸長自在な十字形目地用の止水材が形成されるため、目地用止水材の製造を効率的に行うことが可能となると共に、平坦な形体に成形されるため、シート体の突起を抑えて水流等に対する抵抗が低減される。
【発明を実施するための最良の形態】
【００４６】
図１は、この発明の第１の実施の形態による目地用止水材の取付状態を示した分解斜視図である。
【００４７】
図を参照して、４つの凾体３０ａ〜３０ｄが平面状態において突き合わされせた状態で配置され、これらの凾体３０ａ〜３０ｄによって平面視十字形状の目地部２９ａ〜２９ｄが形成されている。
【００４８】
一方、この実施の形態による目地用止水材１０は、ゴム等の可撓性と水密性とを有する一枚のシート形状の材料により平面視十字形状に一体成形され、第１の水平方向と、第１の水平方向と直交する第２の水平方向とに少なくとも伸長できるように折り畳まれた伸長部１６と、第１の水平方向へと延びると共にその一方端部が伸長部１６に接続された第１シート部１１と、第１の水平方向と反対方向へと延びると共にその一方端部が伸長部１６に接続された第２シート部１２と、第２の水平方向へと延びると共にその一方端部が伸長部１６に接続された第３シート部１３と、第２の水平方向と反対方向へと延びると共にその一方端部が伸長部１６に接続された第４シート部１４とを備えている。第１シート部１１、第２シート部１２、第３シート部１３及び第４シート部１４の各々は、平面視においてほぼ矩形シート形状を有し、各々のほぼ中央部には、各々の長手方向に延びる断面逆Ｕ字形に撓んだ屈曲部１７ａ〜１７ｄの各々が形成されている。したがって、第１シート部１１及び第２シート部１２の各々は、第２の水平方向（各々の短辺方向）へと少なくとも伸長することが可能であり、第３シート部１３及び第４シート部１４の各々は、第１の水平方向（各々の短辺方向）へと少なくとも伸長することが可能である。
【００４９】
尚、第２シート部１２の屈曲部１７ｂに接続された一対の平面部１８ａ及び１８ｂの各々の下面には、下方に突出し、互いに平行に配置された一対の止水突条２５ａ、２５ｂ及び一対の止水突条２６ａ、２６ｂが形成されているが、これらは、従来例（図４〜図６）で示した目地用止水継手におけるものと同様のものである。また、第１シート部１１、第３シート部１３及び第４シート部１４についても、第２シート部１２と同様に止水突条が形成されている。
【００５０】
このように形成された目地用止水材１０の凾体３０ａ〜３０ｄへの取付け時にあっては、図に示すように、伸長部１６を目地部２９ａ〜２９ｄの交差点上に位置するに配置すると共に、各シート部における屈曲部１７ａ〜１７ｄの各々が、目地部２９ａ〜２９ｄの各々に対応するように、目地用止水材１０を凾体３０ａ〜３０ｄの外面上に設置する。そして、図示しない固定具を用いて目地用止水材１０を凾体３０ａ〜３０ｄに固定することによって、取付けが完了する。
【００５１】
図２は、図１で示した目地用止水材の製造過程を示した概略工程図である。
【００５２】
まず、図２の（１）を参照して、例えばゴム等の可撓性と水密性とを有するシート形状の材料よりなる一枚のシート体２０を用意する。尚、この実施の形態においては、シート体２０は、平面視十字形状に形成されているが、シート体２０の形状は特に限定されるものではなく、取付ける目地部の形状等に応じて、シート体２０を他の形状に形成しても良い。そして、シート体２０において第１の水平方向（図における右上がり方向）に延びる帯状の第１領域２１（二点鎖線で示した部分）を、シート体２０が第１の水平方向と直交する第２の水平方向（図における右下がり方向）へと少なくとも伸長できるように上方へと撓ませて、図２の（２）に示した状態とする。
【００５３】
次に、図２の（２）の状態から、第１領域２１の長手方向のほぼ中央から第２の方向へと延びる帯状の第２領域２２（二点鎖線で示した部分）を、シート体２０が第１の水平方向へと少なくとも伸長できるように上方に撓ませると共に、第１領域２１と第２領域２２との接続部分の近傍における第１領域２１の一部を、シート体２０が第１の水平方向へと少なくとも伸長できるように折り畳む。また、第１領域２１の長手方向のほぼ中央から第２の方向と反対方向へと延びる帯状の第３領域２３（二点鎖線で示した部分）を、シート体２０が第１の水平方向へと少なくとも伸長できるように上方に撓ませると共に、第１領域２１と第３領域２３との接続部分の近傍における第１領域２１の一部を、シート体２０が第１の水平方向へと少なくとも伸長できるように折り畳む。
【００５４】
すると、図２の（３）に示すように、第１領域２１の中央部分と、第２領域２２及び第３領域２３の各々の第１領域２１側の一部とによって構成された伸長部１６と、伸長部１６に各々の一方端部が接続され平面視十字状に延びる第１シート部１１、第２シート部１２、第３シート部１３及び第４シート部１４とを備えた目地用止水材１０の製造が完了する。尚、シート体２０における第１領域２１の部分が目地用止水材１０の屈曲部１７ａ及び１７ｂに対応し、第２領域２２の部分が屈曲部１７ｃに対応し、第３領域２３の部分が屈曲部１７ｄに対応している。
【００５５】
このような製造方法によれば、一枚のシート体２０によって、第１の水平方向及び第１の水平方向と直交する第２の水平方向のいずれの方向にも伸長自在な目地用止水材１０が形成されるため、十字形の目地部に対応した目地用止水材１０を効率的に製造することが可能である。
【００５６】
図３は、図１で示した目地用止水材の変形動作を模式的に示した平面図である。
【００５７】
まず、図３の（１）を参照して、目地用止水材１０が、十字形状の目地部２９ａ〜２９ｄを塞ぐように凾体３０ａ〜３０ｄに取り付けられている。この状態から、例えば地震等によって、凾体３０ａ及び３０ｄの各々と凾体３０ｂ及び３０ｃの各々とが、図の矢印で示したように、互いに引き離される方向に移動した場合を想定する。
【００５８】
図３の（２）を参照して、凾体３０ａ〜３０ｄの各々が移動した結果、目地部２９ａ及び２９ｂの間隔が広がっている。このとき、屈曲部１７ａ及び屈曲部１７ｂは扁平状態に変形することによって図における左右方向に伸長することができ、伸長部１６はいずれの水平方向にも伸長することができるため、第１シート部１１及び第２シート部１２と伸長部１６とは、目地部２９ａ及び２９ｂの間隔の変化を吸収する。
【００５９】
尚、ここでは、目地部２９ａ及び２９ｂが開いた場合について説明したが、目地部２９ｃ及び２９ｄが図３の（１）の状態から上下方向に広がった場合についても同様である。すなわち、屈曲部１７ｃ及び１７ｄは扁平状態に変形することによって図における上下方向に伸長することができ、伸長部１６はいずれの水平方向へも伸長することができるため、第３シート部１３及び第４シート部１４と伸長部１６とは、目地部２９ｃ及び２９ｄの間隔の変化を吸収することになる。
【００６０】
以上のように、この実施の形態による目地用止水材１０は、十字形に交差する目地部２９ａ〜２９ｄの間隔の変化に追従していずれの水平方向へも変形することができるため、地震等で凾体３０ａ〜３０ｄの位置がずれても、十字形に交差する目地部の止水性能を維持することが可能となる。また、この実施の形態による目地用止水材１０は、伸長部１６、第１シート部１１、第２シート部１２、第３シート部１３及び第４シート部１４が一枚のシート体によって一体成形されているため、目地用止水材１０全体の止水性能が向上すると共に、十字形に交差した目地部を効率的に止水することが可能となる。
【００６１】
尚、上記の第１の実施の形態では、十字形状の目地部を対象としているが、Ｔ字形状の目地部に対しても同様に適用することが可能である。この場合、上記の第１の実施の形態に対応する伸長部と、第１シート部、第２シート部及び第３シート部とからなる目地用止水材を構成すれば良い。
【００６２】
また、上記の第１の実施の形態では、各シート部は平面視において矩形シート形状を有しているが、矩形以外の形状に形成しても良い。
【００６３】
更に、上記の第１の実施の形態では、各シート部の屈曲部は断面逆Ｕ字形に突出するように形成されているが、各シート部が所定の水平方向へと少なくとも伸長することができるように構成されていれば、例えば、屈曲部を他の断面形状を有するように撓ませて形成したり、各シート部を折り畳んだりしても良い。
【００６４】
更に、上記の第１の実施の形態では、各シート部における屈曲部の各々と伸長部とは、凾体の外方側へと突出するように形成されているが、凾体の目地部の形状によっては、屈曲部及び伸長部の一部または全部を目地部の内方側に突出するように形成しても良い。
【００６５】
更に、上記の第１の実施の形態では、目地用止水材を構成する材料としてゴムを用いているが、可撓性と水密性とを有するものであれば、合成樹脂等の他の材料を用いたり、当該特性を有する材料とゴムとを組み合わせても良い。また、ゴムの種類は特に限られず、天然ゴム及び合成ゴムのいずれを用いても良いことは言うまでもない。
【００６６】
更に、上記の第１の実施の形態において、目地用止水材の材料として、例えば網目状やシート状の金属等の保形性を有する基材が埋設されたシート体を用いても良い。
【００６７】
更に、上記の第１の実施の形態では、貯水池等に用いられるコンクリート凾体の底面や壁面の目地部の止水を対象としているが、落石防止用のコンクリートブロック等の壁面の目地部を対象として、土砂等の侵入を防止するように用いても良いことは言うまでもない。
【００６８】
更に、上記の第１の実施の形態では、各シート部と伸長部とが一枚のシート体から一体的に成形されているが、これらを別個に形成して接続することによって目地用止水材を構成しても良い。
【００６９】
図７は、この発明の第２の実施の形態による目地用止水材の取付状態を示した分解斜視図であり、図８は、図７で示した目地用止水材３１を、紙面を貫く方向の裏面側から見た斜視図である。
【００７０】
図を参照して、４つの函体３０ａ〜３０ｄが平面状態において突き合わされた状態で配置され、これらの函体３０ａ〜３０ｄによって平面視十字形状の目地部２９ａ〜２９ｄが形成されている。
【００７１】
一方、この実施の形態による目地用止水材３１は、ゴム等の可撓性と水密性とを有する一枚のシート形状の材料により平面視十字形状に一体成形される。この目地用止水材３１は、図中に一点鎖線により示すように境界線３７ａ、３７ｂ、３７ｃ及び３７ｄにより囲まれ、第１の水平方向Ａと、第１の水平方向Ａと直交する第２の水平方向Ｂとに少なくとも伸長できるように折り畳まれた伸長部３６と、この伸長部３６から境界線３７ａを越えて第１の水平方向Ａへと延びる第１シート部３２と、境界線３７ｂを越えて第１の水平方向Ａと反対方向へと延びる第２シート部３３と、境界線３７ｃを越えて第２の水平方向Ｂへと延びる第３シート部３４と、境界線３７ｄを越えて第２の水平方向Ｂと反対方向へと延びる第４シート部３５とから形成されている。ここで、第１シート部３２、第２シート部３３、第３シート部３４、第４シート部３５及び伸長部３６の各々は、平面視においてほぼ矩形シート形状を有している。
【００７２】
そして、第１シート部３２の中央には、境界線３７ａから外方に延びる折畳部３８ａが形成され、第２シート部３３の中央には、境界線３７ｂから外方に延びる折畳部３８ｂが形成され、第３シート部３４の中央には、境界線３７ｃから外方に延びる折畳部３８ｃが形成され、第４シート部３５の中央には、境界線３７ｄから外方に延びる折畳部３８ｄが形成されている。更に、折畳部３８ａ〜３８ｄは、各々境界線３７ａ〜３７ｄにおいて、伸長部３６の外方の折り畳まれた部分と連続した態様にて接続されており、これら外方の折り畳まれた部分が交差する伸長部３６の中央領域及び近傍は、平坦化するように折り畳まれている。
【００７３】
したがって、第１シート部３２及び第２シート部３３の各々は、第２の水平方向Ｂへと少なくとも伸長することが可能であり、第３シート部３４及び第４シート部３５の各々は、第１の水平方向Ａへと少なくとも伸長することが可能であり、また、伸長部３６は第１の水平方向Ａ及び第２の水平方向Ｂのいずれへも伸長することが可能である。このように、この実施の形態における目地用止水材３１は、第１の実施の形態における目地用止水材１０と同様に伸長することができるが、その形状は異なり、全体がほぼ平坦に形成されている。
【００７４】
また、図８を参照して、目地用止水材３１の裏側も図７に示した表面と同様にほぼ平坦に形成されている。
【００７５】
尚、図には示していないが、第１の実施の形態において図１に示した目地用止水材１０の下面に形成された一対の止水突条２５ａ、２５ｂ及び一対の止水突条２６ａ、２６ｂが、この実施の形態における図７及び図８の目地用止水材３１にも形成されているものとする。
【００７６】
このように形成された目地用止水材３１の函体３０ａ〜３０ｄへの取り付け時にあっては、図に示すように、伸長部３６を目地部２９ａ〜２９ｄの交差点上に位置するように配置すると共に、各シート部における折畳部３８ａ〜３８ｄの各々が、目地部２９ａ〜２９ｄの各々に対応するように、目地用止水材３１を函体３０ａ〜３０ｄの外面上に設置する。そして、図示しない固定具を用いて目地用止水材３１を函体３０ａ〜３０ｄに固定することによって、取り付けが完了する。
【００７７】
このように、図７及び図８に示したこの実施の形態の目地用止水材３１は、平坦に形成されるため、函体３０ａ〜３０ｄに取り付けた際に、水流に対する抵抗が低減されると共に、溝のない目地部に対してもほぼ平坦な形態に設置される。
【００７８】
図９は、図７で示した目地用止水材３１の製造工程を示した概略斜視図である。
【００７９】
先ず、図９の（１）を参照して、例えばゴム等の可撓性と水密性とを有するシート形状の材料よりなる一枚のシート体４０を用意する。尚、この実施の形態においては、シート体４０の形状は平面視十字形状に形成されているが、この形状は特に限定されるものではなく、取り付ける目地部の形状等に応じて、シート体４０を他の形状に形成しても良い。ここで、シート体４０は、中央に一点鎖線で示す境界線３７ａ〜３７ｄで囲まれた矩形形状の領域を有している。この中央部の領域は、図７に示した伸長部３６に相当する領域（図７の伸長部３６を展開した領域）であり、ここでは説明の便宜上、この領域も伸長部３６と呼ぶことにする。そして、この伸長部３６に対して、境界線３７ａを越えて外方に延びる方向（第１の水平方向Ａ）には第１シート部３２が繋がり、境界線３７ｂを越えて外方に延びる方向（第１の水平方向Ａと反対方向）には第２シート部３３が繋がり、境界線３７ｃを越えて外方に延びる方向（第２の水平方向Ｂ）には第３シート部３４が繋がり、また、境界線３７ｄを越えて外方に延びる方向（第２の水平方向Ｂと反対方向）には第４シート部３５が繋がっている。
【００８０】
この（１）の状態から、シート体４０は、実線で示した山折り線４７ａ〜４７ｃに沿って山折りに折り畳まれると共に、二点鎖線で示した谷折り線４８ａ〜４８ｅに沿って谷折りに折り畳まれる。
【００８１】
続いて、図９の（２）を参照して、第１シート部３２の帯状の領域、すなわち、山折り線４７ａと谷折り線４８ａとで挟まれた第１領域４１は第２の水平方向Ｂに折り畳まれていく。同様に、第２シート部３３内で山折り線４７ｂと谷折り線４８ｂとで挟まれた第２領域４２は第２の水平方向Ｂに折り畳まれ、第３シート部３４内で山折り線４７ｃと谷折り線４８ｃとで挟まれた第３領域４３は第１の水平方向Ａと反対の方向に折り畳まれ、また、第４シート部３５内で山折り線４７ｄと谷折り線４８ｄとで挟まれた第４領域４４は第１の水平方向Ａと反対の方向に折り畳まれていく。そして、これらと共に、これら第１領域４１〜第４領域４４の各々と接続される伸長部３６の十字形状領域も平坦化するように折り畳まれる。すなわち、山折り線４７ａ〜４７ｂ、及び、谷折り線４８ａ〜４８ｂにより囲まれた十字形状領域の外方領域が、第１領域４１〜第４領域４４の各々と連続した態様にて折り畳まれ、更に、山折り線４７ｃ及び谷折り線４８ｃ〜４８ｅで囲まれた十字形状領域の中央領域及びその近傍も平坦化するように折り畳まれる。
【００８２】
次に、図９の（３）を参照して、第１シート部３２では、第１領域４１が第２の水平方向Ｂに折り返されて、折畳部３８ａが形成される直前の段階が示されている。同様に、第２シート部３３では、第２領域４２が第２の水平方向Ｂに折り返されて折畳部３８ｂが形成され、第３シート部３４では、第３領域４３が第１の水平方向Ａの反対方向に折り返されて折畳部３８ｃが形成され、また、第４シート部３５では、第４領域４４が第１の水平方向Ａと反対方向に折り返されて折畳部３８ｄが形成される直前の段階が示されている。このように第１領域４１〜第４領域４４を折り畳んで折畳部３８ａ〜３８ｄを形成する第１工程と、これら折畳部３８ａ〜３８ｄに連続した伸長部３６の十字形状領域の外方領域と、山折り線４７ｃ及び谷折り線４８ｃ〜４８ｅに沿って折り畳まれる伸長部３６の十字形状領域の中央領域及び近傍とを平坦化するように折り畳む第２工程とにより、目地用止水材３１の製造は完了する。
【００８３】
このような製造方法によれば、一枚のシート体４０によって、第１の水平方向Ａ及び第１の水平方向Ａと直交する第２の水平方向Ｂのいずれの方向にも伸長自在な目地用止水材３１が形成されるため、十字形の目地部に対応した目地用止水材３１を効率的に製造することが可能である。
【００８４】
図１０は、図７で示したＸ−Ｘラインから見た拡大断面図である。
【００８５】
図１０の（１）を参照して、伸長部３６は、多層に折り重なった中央領域及び近傍“Ｘ”と、その外方領域５０ａ〜５０ｆとから形成されている。ここで、外方領域５０ａ〜５０ｃは第３シート部３４へ連続した態様で繋がり、また、外方領域５０ｄ〜５０ｆは第４シート部３５へ連続した態様で繋がっている。
【００８６】
図１０の（２）は、目地用止水材３１が、第３シート部３４の延びる第２の水平方向Ｂと、第４シート部３５の延びる第２の水平方向Ｂと反対方向とに引き離す力が働いたときの伸長部３６の様子を示している。そして、この伸長部３６は、中央領域及びその近傍“Ｘ”における折り重なりの部分が延びたり、又は、反り返ることにより、これら力の働く２方向へ伸長している。
【００８７】
尚、ここでは、第３シート部３４及び第４シート部３５の延びる方向への伸長変化、すなわち、目地部２９ａ及び２９ｂが開く場合について示したが、目地部２９ｃ及び２９ｄが開く場合についても同様である。このように、中央領域及びその近傍“Ｘ”の折り重なり部分が延ばされて、図１０の（２）に示したシート体４０の状態に近づくように変形することによって、伸長部３６はいずれの水平方向へも伸長でき、目地部の間隔の変化を吸収することが可能となる。
【００８８】
以上のように、この実施の形態による目地用止水材３１は、第１の実施の形態に示した目地用止水材１０と同様に、十字形に交差する目地部２９ａ〜２９ｄの間隔の変化に追従していずれの水平方向へも変形することができる。また、一枚のシート体によって一体成形されているため、目地用止水材３１全体の止水性能が向上すると共に、十字形に交差した目地部を効率的に止水することが可能となる。そして、これに加えて、この第２の実施の形態では、第１の実施の形態とは異なり、目地用止水材を平坦に形成することができるため、折り畳みによる突起を最小限に抑えて水流等に対する抵抗が低減される。この効果について、以下に、図１１及び図１２を用いて説明する。
【００８９】
図１１は、溝部を有する目地部に第１の実施の形態の目地用止水材１０を適用した場合の断面図である。
【００９０】
図を参照して、函体３０ｅ及び３０ｆから構成される溝部５２を有する目地部に対しては、第１の実施の形態で示した目地用止水材１０の屈曲部１７ｅを溝部５２内に収めるように用いることにより、表面の突起をなくし、平坦化させている。しかし、溝部５２を有しない目地部に対しては、逆Ｕ字状の屈曲部を目地部とは逆側に突起させて配置するしかなく、平坦化は不可能である。
【００９１】
図１２は、溝部を有しない目地部に第２の実施の形態の目地用止水材３１を適用した場合の断面図である。
【００９２】
図を参照して、函体３０ｇ及び３０ｈから構成される目地部に対して、第２の実施の形態で示した目地用止水材３１が設置されている。このように、第２の実施の形態によれば、目地部に溝がない場合においても、折畳部３８ｅはほぼ平坦に形成されているため、突起が表面に突き出すことなく、水流等に対する抵抗が低減される。
【００９３】
図１３は、この発明の第３の実施の形態による目地用止水材８１の取付状態を示した分解斜視図である。尚、ここでは、第２の実施の形態との相違点を中心に説明を行う。
【００９４】
図を参照して、目地用止水材８１は、中央部の伸長部８６から第１の水平方向Ａに第１シート部８２が、第１の水平方向Ａと反対方向に第２シート部８３が、第２の水平方向Ｂに第３シート部８４が、また、第２の水平方向Ｂと反対方向に第４シート部８５が延びるように形成されている。この実施の形態の目地用止水材８１は、全体が平坦に形成されており、第２の実施の形態において示した目地用止水材３１と殆ど同じであるが、第３シート部８４における折畳部８７ｃの折り畳まれる方向が異なっている。すなわち、第２の実施の形態の目地用止水材３１における第３シート部３４の折畳部３８ｃが、第１の水平方向Ａと反対方向に折り畳まれていたのに対して、この実施の形態の目地用止水材８１における第３シート部８４の折畳部８７ｃは、第１の水平方向Ａに折り畳まれている。
【００９５】
このように、この実施の形態によると、第１シート部８２の折畳部８７ａと第３シート部８４の折畳部８７ｃとの延長部分が重なる伸長部８６の中央の部分は、第２シート部８３の折畳部８７ｂと第４シート部８５の折畳部８７ｄとの延長部分が重なる伸長部８６の中央の他の部分よりも重なりを減らして薄く形成することができ、水流等に対する目地用止水材の突起部分の抵抗が更に低減される。
【００９６】
尚、第３シート部８４の折畳部８７ｃを第１の水平方向Ａと反対方向に折り畳み、第２シート部８３の折畳部８７ｂを第２の水平方向Ｂへ折り畳むことにより、伸長部８６の重なり部分を薄くして、同様の効果を得ることも可能である。
【００９７】
また、この実施の形態では、伸長部の中央領域におけるシート体の重なりを更に少なくするために、図１３の第２シート部８３の折畳部８７ｂを第２の水平方向Ｂと反対方向に折り畳んでもよい。これにより、伸長部８６の中央はより平坦化される。
【００９８】
更に、上記の第２及び第３の実施の形態における目地用止水材は、共に表面及び裏面が平坦な形状に形成されているので、上下反転させて設置しても良い。ここで、図示していないが、図１３の目地用止水材８１において紙面を貫く方向の裏面側から見た伸長部８６は、図８の伸長部３６とほぼ同じ形状をしている。したがって、この場合は、第２及び第３の実施の形態の目地用止水材の伸長部３６及び伸長部８６はいずれも、図８のような簡素な形状の裏面側が水流等と接することになるため、この水流等に対する抵抗が更に低減される。
【００９９】
更に、上記の第２及び第３の実施の形態において、目地用止水材を上下反転して設置する場合、目地部が溝部を有していれば、伸長部及び折畳部等の突起部分の一部又は全部が溝部内に配置されるように収まり良くより平坦に設置することができるため、更に、水流等に対する抵抗が低減される。
【０１００】
更に、上記の第２及び第３の実施の形態では、十字形状の目地部を対象としているが、Ｔ字形状の目地部に対しても同様に適用することが可能である。この場合、上記の第２及び第３の実施の形態に対応する伸長部と、第１シート部、第２シート部及び第３シート部とからなる目地用止水材を形成すれば良い。
【０１０１】
更に、上記の第２及び第３の実施の形態では、目地用止水材を構成する材料としてゴムを用いているが、可撓性と水密性とを有するものであれば、合成樹脂等の他の材料を用いたり、当該特性を有する材料とゴムとを組み合わせても良い。また、ゴムの種類は特に限られず、天然ゴム及び合成ゴムのいずれを用いても良いことは言うまでもない。
【０１０２】
更に、上記の第２及び第３の実施の形態において、目地用止水材の材料として折り畳めるものであれば、例えば、網目状やシート状の金属等の保形性を有する基材が埋設されたシート体を用いても良い。
【０１０３】
更に、上記の第２及び第３の実施の形態では、貯水池等に用いられるコンクリート函体の底面や壁面の目地部の止水を対象としているが、落石防止用のコンクリートブロック等の壁面の目地部を対象として、土砂等の侵入を防止するように用いても良いことは言うまでもない。
【０１０４】
更に、上記の第２及び第３の実施の形態では、各シート部と伸長部とが一枚のシート体から一体的に成形されているが、これらを別個に形成して接続することによって目地用止水材を形成しても良い。
【０１０５】
更に、上記の第２及び第３の実施の形態において、シート体が膨れないように、折り畳み部分を両面テープや接着剤で固定しても良い。
【図面の簡単な説明】
【０１０６】
【図１】この発明の第１の実施の形態による目地用止水材の取付状態を示した分解斜視図である。
【図２】図１で示した目地用止水材の製造過程を示した概略工程図である。
【図３】図１で示した目地用止水材の変形動作を模式的に示した平面図である。
【図４】従来の目地用止水継手の取付状態を示した分解斜視図である。
【図５】図４で示したＶ−Ｖラインの拡大断面図である。
【図６】従来の十字形状の目地部に使用される目地用止水継手の取付状態を示した分解斜視図である。
【図７】この発明の第２の実施の形態による目地用止水材の取付状態を示した分解斜視図である。
【図８】図７の目地用止水材を、紙面を貫く方向の裏面側から見た斜視図である。
【図９】図７の目地用止水材の製造工程を示した概略斜視図である。
【図１０】図７で示したＸ−Ｘラインから見た拡大断面図である。
【図１１】溝部を有する目地部に第１の実施の形態の目地用止水材を適用した場合の断面図である。
【図１２】溝部を有しない目地部に第２の実施の形態の目地用止水材を適用した場合の断面図である。
【図１３】この発明の第３の実施の形態による目地用止水材の取付状態を示した分解斜視図である。
【符号の説明】
【０１０７】
１０、３１、８１…目地用止水材
１１、３２、８２…第１シート部
１２、３３、８３…第２シート部
１３、３４、８４…第３シート部
１４、３５、８５…第４シート部
１６、３６、８６…伸長部
１７…屈曲部
２０、４０…シート体
２１、４１…第１領域
２２、４２…第２領域
２３、４３…第３領域
４４…第４領域
２９…目地部
３０…函体
３７…境界線
３８、８７…折畳部
５０…外方領域
尚、各図中同一符号は同一または相当部分を示す。
【図１】
2006233743.tif 000003
【図２】
2006233743.tif 000004
【図３】
2006233743.tif 000005
【図４】
2006233743.tif 000006
【図５】
2006233743.tif 000007
【図６】
2006233743.tif 000008
【図７】
2006233743.tif 000009
【図８】
2006233743.tif 000010
【図９】
2006233743.tif 000011
【図１０】
2006233743.tif 000012
【図１１】
2006233743.tif 000013
【図１２】
2006233743.tif 000014
【図１３】
2006233743.tif 000015